(57)【特許請求の範囲】
【請求項１】
無線により通話が可能な携帯電話と、ユーザの腕に装着される腕装着型端末とからなる携帯電話システムにおいて、
前記携帯電話は、
着信音の出力を行う着信出力モードと着信音の出力を行わない出力禁止モードとの切り換えが可能なモード設定手段と、
前記腕装着型端末と無線通信が可能な第１無線通信手段とを備えており、
前記腕装着型端末は、
前記携帯電話と無線通信が可能な第２無線通信手段と、
当該腕装着型端末を装着した者に報知を行う報知手段と、
前記携帯電話に着信があったときに前記第１無線通信手段と前記第２無線通信手段とを介した通信により前記携帯電話から前記腕装着型端末へ着信情報を送り、この着信情報に基づいて前記報知手段に報知動作を行わせる着信報知制御手段と、
前記モード設定手段の切換状態が着信出力モードである場合に前記着信報知機能を無効とし、前記モード設定手段の切換状態が出力禁止モードである場合に前記着信報知機能を有効とする機能設定制御手段と、
を有し、
前記機能設定制御手段は、
前記着信報知機能を有効とする場合に前記第１および第２無線通信手段の通信リンクを確立させ、且つ、前記着信報知機能を無効とする場合に前記第１および第２無線通信手段の通信リンクを解除させる通信制御手段と、
前記携帯電話に着信があり、且つ、前記第１および第２無線通信手段の通信リンクが確立されている場合に、前記着信情報を前記腕装着型端末に送信させ、前記携帯電話に着信があり、且つ、前記第１および第２無線通信手段の通信リンクが解除されている場合に、前記着信情報を前記腕装着型端末に送信させない前記携帯電話の制御手段と、
から構成されることを特徴とする携帯電話システム。
【請求項２】
無線により通話が可能な携帯電話と、ユーザの腕に装着される腕装着型端末とからなる携帯電話システムにおいて、
前記携帯電話は、
表示部および操作キーを内側に開閉可能な開閉機構と、
前記腕装着型端末と無線通信が可能な第１無線通信手段とを備えており、
前記腕装着型端末は、
前記携帯電話と無線通信が可能な第２無線通信手段と、
当該腕装着型端末を装着した者に報知を行う報知手段と、
前記携帯電話に着信があったときに前記第１無線通信手段と前記第２無線通信手段とを介した通信により前記携帯電話から前記腕装着型端末へ着信情報を送り、この着信情報に基づいて前記報知手段に報知動作を行わせる着信報知制御手段と、
前記開閉機構が閉じている状態のときに前記着信報知機能を有効とし、前記開閉機構が開いている状態のときに前記着信報知機能を無効とする機能設定制御手段とを有し、
前記機能設定制御手段は、
前記着信報知機能を有効とする場合に前記第１および第２無線通信手段の通信リンクを確立させ、且つ、前記着信報知機能を無効とする場合に前記第１および第２無線通信手段の通信リンクを解除させる通信制御手段と、
前記携帯電話に着信があり、且つ、前記第１および第２無線通信手段の通信リンクが確立されている場合に、前記着信情報を前記腕装着型端末に送信させ、前記携帯電話に着信があり、且つ、前記第１および第２無線通信手段の通信リンクが解除されている場合に、前記着信情報を前記腕装着型端末に送信させない前記携帯電話の制御手段と、
から構成されることを特徴とする携帯電話システム。
【請求項３】
無線により通話が可能な携帯電話と、ユーザの腕に装着される腕装着型端末とからなる携帯電話システムにおいて、
前記携帯電話は、
最後のキー操作からの時間を計時するタイマーと、
前記腕装着型端末と無線通信が可能な第１無線通信手段とを備えており、
前記腕装着型端末には、
前記携帯電話と無線通信が可能な第２無線通信手段と、
当該腕装着型端末を装着した者に報知を行う報知手段と、
前記携帯電話に着信があったときに前記第１無線通信手段と前記第２無線通信手段とを介した通信により前記携帯電話から前記腕装着型端末へ着信情報を送り、この着信情報に基づいて前記報知手段に報知動作を行わせる着信報知制御手段と、
前記タイマーの値が所定値を超えた場合に前記着信報知機能を有効とし、前記タイマーの値が所定値以下の場合に前記着信報知機能を無効とする機能設定制御手段とを有し、
前記機能設定制御手段は、
前記着信報知機能を有効とする場合に前記第１および第２無線通信手段の通信リンクを確立させ、且つ、前記着信報知機能を無効とする場合に前記第１および第２無線通信手段の通信リンクを解除させる通信制御手段と、
前記携帯電話に着信があり、且つ、前記第１および第２無線通信手段の通信リンクが確立されている場合に、前記着信情報を前記腕装着型端末に送信させ、前記携帯電話に着信があり、且つ、前記第１および第２無線通信手段の通信リンクが解除されている場合に、前記着信情報を前記腕装着型端末に送信させない前記携帯電話の制御手段と、
から構成されることを特徴とする携帯電話システム。
【請求項４】
対応する携帯電話と無線通信が可能な無線通信手段と、
装着者に報知を行う報知手段と、
前記無線通信手段を介して前記携帯電話から着信があったことを示す着信情報が送られてきた場合に前記報知手段に報知動作を行わせる着信報知制御手段と、
前記無線通信手段の無線通信により前記携帯電話のモードを着信音の出力を行う着信出力モードと着信音の出力を行わない出力禁止モードとに切り換え可能なモード切換制御手段と、
このモード切換制御手段により前記携帯電話のモードを前記着信出力モードにした場合に前記無線通信手段の通信リンクを解除させ、前記携帯電話のモードを前記出力禁止モードにした場合に前記無線通信手段の通信リンクを確立させる機能切換制御手段と、
を備えたことを特徴とする腕装着型端末。
【発明の詳細な説明】
【技術分野】
【０００１】
この発明は、携帯電話と、着信報知を行う腕装着型端末とからなる携帯電話システム、および、この腕装着型端末に関する。
【背景技術】
【０００２】
従来、携帯電話と、腕時計などの腕装着型端末とを、ブルートゥース（Ｂｌｕｅｔｏｏｔｈ：登録商標）通信などの短距離無線通信によりデータ通信可能な構成とし、携帯電話に通話着信やメール着信などがあった場合に、この着信情報を携帯電話から腕装着型端末に送信するとともに、腕装着端末を振動させて着信の情報をユーザに知らせるようにしたシステムが開発されている（例えば特許文献１）。
【０００３】
また、このような短距離無線通信により腕時計から携帯電話に制御データを送信することで、腕時計の操作によって携帯電話の音声着信を保留応答したり、着信拒否したりする機能も実現化されている。また、同様に、ユーザが腕時計を操作することで携帯電話をマナーモードに設定したり、携帯電話のマナーモードを解除したりする機能も実現化されている。
【特許文献１】特開２００２−３３５５６７号公報
【発明の開示】
【発明が解決しようとする課題】
【０００４】
腕装着型端末による着信報知の機能は、携帯電話をマナーモードにしている場合や、携帯電話を操作していない場合などに、役立つものである。従って、携帯電話のモードを着信出力がされる通常モードに設定しているときや、携帯電話の操作中などには、腕装着型端末の着信報知機能を無効にしたいという要求がある。
【０００５】
しかしながら、従来のシステムでは、腕装着端末の着信報知機能を無効にする場合には、その都度、ユーザが腕装着端末のボタン操作を行って、着信報知機能が無効となる設定を行う必要があった。
【０００６】
この発明の目的は、必要なときだけ腕装着型端末の着信報知機能が有効となり、必要ないときには着信報知機能が自動的に無効とされる携帯電話システム、および、腕装着型端末を提供することにある。
【課題を解決するための手段】
【０００７】
上記目的を達成するため、請求項１記載の発明は、
無線により通話が可能な携帯電話と、ユーザの腕に装着される腕装着型端末とからなる携帯電話システムにおいて、
前記携帯電話は、
着信音の出力を行う着信出力モードと着信音の出力を行わない出力禁止モードとの切り換えが可能なモード設定手段と、
前記腕装着型端末と無線通信が可能な第１無線通信手段とを備えており、
前記腕装着型端末は、
前記携帯電話と無線通信が可能な第２無線通信手段と、
当該腕装着型端末を装着した者に報知を行う報知手段と、
前記携帯電話に着信があったときに前記第１無線通信手段と前記第２無線通信手段とを介した通信により前記携帯電話から前記腕装着型端末へ着信情報を送り、この着信情報に基づいて前記報知手段に報知動作を行わせる着信報知制御手段と、
前記モード設定手段の切換状態が着信出力モードである場合に前記着信報知機能を無効とし、前記モード設定手段の切換状態が出力禁止モードである場合に前記着信報知機能を有効とする機能設定制御手段と、
を有し、
前記機能設定制御手段は、
前記着信報知機能を有効とする場合に前記第１および第２無線通信手段の通信リンクを確立させ、且つ、前記着信報知機能を無効とする場合に前記第１および第２無線通信手段の通信リンクを解除させる通信制御手段と、
前記携帯電話に着信があり、且つ、前記第１および第２無線通信手段の通信リンクが確立されている場合に、前記着信情報を前記腕装着型端末に送信させ、前記携帯電話に着信があり、且つ、前記第１および第２無線通信手段の通信リンクが解除されている場合に、前記着信情報を前記腕装着型端末に送信させない前記携帯電話の制御手段と、
から構成されることを特徴としている。
【０００８】
請求項２記載の発明は、無線により通話が可能な携帯電話と、ユーザの腕に装着される腕装着型端末とからなる携帯電話システムにおいて、
前記携帯電話は、
表示部および操作キーを内側に開閉可能な開閉機構と、
前記腕装着型端末と無線通信が可能な第１無線通信手段とを備えており、
前記腕装着型端末は、
前記携帯電話と無線通信が可能な第２無線通信手段と、
当該腕装着型端末を装着した者に報知を行う報知手段と、
前記携帯電話に着信があったときに前記第１無線通信手段と前記第２無線通信手段とを介した通信により前記携帯電話から前記腕装着型端末へ着信情報を送り、この着信情報に基づいて前記報知手段に報知動作を行わせる着信報知制御手段と、
前記開閉機構が閉じている状態のときに前記着信報知機能を有効とし、前記開閉機構が開いている状態のときに前記着信報知機能を無効とする機能設定制御手段とを有し、
前記機能設定制御手段は、
前記着信報知機能を有効とする場合に前記第１および第２無線通信手段の通信リンクを確立させ、且つ、前記着信報知機能を無効とする場合に前記第１および第２無線通信手段の通信リンクを解除させる通信制御手段と、
前記携帯電話に着信があり、且つ、前記第１および第２無線通信手段の通信リンクが確立されている場合に、前記着信情報を前記腕装着型端末に送信させ、前記携帯電話に着信があり、且つ、前記第１および第２無線通信手段の通信リンクが解除されている場合に、前記着信情報を前記腕装着型端末に送信させない前記携帯電話の制御手段と、
から構成されることを特徴としている。
【０００９】
請求項３記載の発明は、無線により通話が可能な携帯電話と、ユーザの腕に装着される腕装着型端末とからなる携帯電話システムにおいて、
前記携帯電話は、
最後のキー操作からの時間を計時するタイマーと、
前記腕装着型端末と無線通信が可能な第１無線通信手段とを備えており、
前記腕装着型端末には、
前記携帯電話と無線通信が可能な第２無線通信手段と、
当該腕装着型端末を装着した者に報知を行う報知手段と、
前記携帯電話に着信があったときに前記第１無線通信手段と前記第２無線通信手段とを介した通信により前記携帯電話から前記腕装着型端末へ着信情報を送り、この着信情報に基づいて前記報知手段に報知動作を行わせる着信報知制御手段と、
前記タイマーの値が所定値を超えた場合に前記着信報知機能を有効とし、前記タイマーの値が所定値以下の場合に前記着信報知機能を無効とする機能設定制御手段とを有し、
前記機能設定制御手段は、
前記着信報知機能を有効とする場合に前記第１および第２無線通信手段の通信リンクを確立させ、且つ、前記着信報知機能を無効とする場合に前記第１および第２無線通信手段の通信リンクを解除させる通信制御手段と、
前記携帯電話に着信があり、且つ、前記第１および第２無線通信手段の通信リンクが確立されている場合に、前記着信情報を前記腕装着型端末に送信させ、前記携帯電話に着信があり、且つ、前記第１および第２無線通信手段の通信リンクが解除されている場合に、前記着信情報を前記腕装着型端末に送信させない前記携帯電話の制御手段と、
から構成されることを特徴としている。
【００１１】
請求項４記載の発明は、対応する携帯電話と無線通信が可能な無線通信手段と、
装着者に報知を行う報知手段と、
前記無線通信手段を介して前記携帯電話から着信があったことを示す着信情報が送られてきた場合に前記報知手段に報知動作を行わせる着信報知制御手段と、
前記無線通信手段の無線通信により前記携帯電話のモードを着信音の出力を行う着信出力モードと着信音の出力を行わない出力禁止モードとに切り換え可能なモード切換制御手段と、
このモード切換制御手段により前記携帯電話のモードを前記着信出力モードにした場合に前記無線通信手段の通信リンクを解除させ、前記携帯電話のモードを前記出力禁止モードにした場合に前記無線通信手段の通信リンクを確立させる機能切換制御手段と、
を備えたことを特徴とする腕装着型端末である。
【発明の効果】
【００１２】
本発明に従うと、一般的に必要とされる場合にのみ着信報知機能を有効とし、一般的に不必要とされるような場合には着信報知機能を自動的に無効とすることが出来る。着信報知機能の有効／無効を切り換えるため、ユーザは、その都度、腕装着型端末の操作スイッチを用いて設定を切り換える操作を行わないで済む。
【発明を実施するための最良の形態】
【００１３】
以下、本発明の実施の形態を図面に基づいて説明する。
【００１４】
［第１実施形態］
図１は、本発明の実施の形態の携帯電話システムの構成図、図２は、本発明の実施の形態の腕装着型端末としての電子腕時計の内部構成を示すブロック図、図３は、本発明の実施の形態の携帯電話の内部構成を示すブロック図である。
【００１５】
この実施の形態の携帯電話システム１は、図１に示すように、無線電話の機能を実現する基地局との無線通信機能に加えてブルートゥースなどの短距離無線通信の機能を有する携帯電話１０と、ブルートゥースなどの短距離無線通信の機能を有し携帯電話１０とデータ通信可能な腕時計４０とから構成されるものである。これら携帯電話１０と腕時計４０とは、短距離無線通信機能により通信リンクが確立されることで、即時の相互通信が可能とされる。
【００１６】
図２に示すように、腕時計４０は、機器の全体的な制御を行うＣＰＵ（中央演算処理装置）４１と、ＣＰＵ４１が実行する制御プログラムや制御データを格納した不揮発性半導体メモリなどのＲＯＭ（Read Only Memory）４２と、ＣＰＵ４１に作業用のメモリ空間を供給するＲＡＭ（Random Access Memory）４３と、例えば腕時計本体の側面などに複数設けられた操作用のスイッチ４４と、現在時刻を計時する計時回路４５と、腕時計本体の正面部に設けられ時刻表示や種々の機能表示を行う液晶表示部４６と、液晶表示部４６を駆動する液晶ドライバ４７と、アンテナＡＮ４１を介して短距離無線通信を行うブルートゥースモジュール４８と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに着信報知を行う振動モータ５０およびそのドライバ５１と、発光点滅等によりユーザに着信報知を行う発光ダイオード５２およびそのドライバ５３と、ブザー音によりユーザに着信報知を行うピエゾ素子５４およびそのドライバ５５と、ＣＰＵ４１と各部との間で信号をやり取りするバス５６等を備えている。
【００１７】
図３に示すように、携帯電話１０は、機器の全体的な制御を行うＣＰＵ１１と、ＣＰＵ１１が実行する制御プログラムや制御データを格納した不揮発性半導体メモリなどのＲＯＭ１２と、ＣＰＵ４１に作業用のメモリ空間を供給するＲＡＭ１３と、複数の操作キーを有する操作部１４と、種々の機能表示を行う液晶表示部１５およびその表示ドライバ１６と、通話時の音声入出力を行うスピーカ１７およびマイク１８と、入出力される音声信号とデジタルデータとの相互変換を行うコーデック１９と、アンテナＡＮ１１を介して基地局との間で無線信号の送受信を行うＲＦ送受信回路２０と、コーデック１９から入出力される通話音声のデジタルデータや種々の送受信データの変調および復調処理を行う通信処理回路２１と、アンテナＡＮ１２を介して短距離無線通信を行うブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、本体の開閉状態を検出する本体開閉センサ２６と、無操作状態の時間カウント等を行うタイマー２７と、ＣＰＵ１１と各部との間で信号をやりとりするバス２８等を備えている。また、図１に示すように、携帯電話１０の本体にはヒンジ１０ａを有する開閉機構が設けられ、液晶表示部１５や操作部１４を内側に閉ざす形式に折りたたむことが可能になっている。
【００１８】
携帯電話１０においては、ＲＯＭ１２内に着信メロディの音声データが格納されており、着信出力モードの際に音声着信やメール着信があると、ＣＰＵ１１がこの着信メロディのデータを読み出してコーデック１９を介してスピーカ１７から音声出力させ、それにより、ユーザに着信があったことを知らせるようになっている。
【００１９】
また、ＲＡＭ１３には、着信時に着信メロディを出力する着信出力モードや、着信時に着信メロディの出力を行わない出力禁止モードであるマナーモード等の、モード選択状態を表わすデータが格納されるモード設定領域（モード設定手段）１３ａが設定されている。そして、このモード設定領域１３ａのモード設定データがマナーモードを示しているときには、着信があってもＣＰＵ１１は着信メロディの出力処理を実行せず、振動モータ２４の駆動のみ行ったり、或いはこれら両方とも行わないようになっている。
【００２０】
上記待受けモードの設定は、例えば、ユーザが操作部１４を操作して液晶表示部１５の表示メニューをたどっていくことで、着信出力モードやマナーモードを選択的に設定できるようになっている。操作部１４の操作により待受けモードが選択されたら、その設定データがＲＡＭ１３のモード設定領域１３ａに書き込まれ、それにより選択された待受けモードでの着信動作がなされるようになっている。
【００２１】
また、この待受けモードの選択は、ブルートゥースモジュール２２を介したデータ通信により、腕時計４０側の操作によっても行うことが可能にされている。例えば、ユーザが腕時計４０の操作スイッチ４４を操作して、携帯電話１０の待受けモードの選択を行うことで、選択されたモードを示す設定データが短距離無線通信により携帯電話１０に送られて、その設定データがＲＡＭ１３のモード設定領域１３ａに書き込まれるようになっている。
【００２２】
携帯電話１０のブルートゥースモジュール２２と、腕時計４０のブルートゥースモジュール４８とは、両者を通信可能範囲に置いて何れか一方に接続要求を発行することで、次のようにして通信リンクが確立するようになっている。すなわち、先ず、接続要求のあったブルートゥースモジュールから対応機器に応答を求める探索パケットが送信され、この探索パケットを受けた他方のブルートゥースモジュールが応答を行い、それにより両者で認証処理が実行される。そして、認証が済んだら通信リンクが確立して、相互に即時のデータ通信が可能な状態とされる。なお、このような自動接続が行われるには、予め両者に同一の通信識別情報とデータ暗号化のパスキーとを入力しておく必要がある。
【００２３】
また、何れか一方に切断要求を発行することで、通信リンクが解除されて、再度、認証処理から実行しないと即時のデータ通信ができないように通信状態が切断される。通信リンクが解除されている状態では、両ブルートゥースモジュール２２，４８は対応機器から探索パケットが受信されるのを待機した状態とされる。
【００２４】
次に、上記構成の携帯電話システム１における腕時計４０の着信報知動作について説明する。
【００２５】
先ず、概要を説明する。この実施形態の携帯電話システム１においては、携帯電話１０がマナーモードに設定されている状態で、通話着信又はメール着信があると、次のようにして腕時計４０による着信報知が行われる。すなわち、マナーモード設定であるため、携帯電話１０では着信があっても着信メロディの音声出力を行わない。一方、携帯電話１０は、ブルートゥースモジュール２２の短距離無線通信により腕時計４０に電話着信データを即時に送信する。腕時計４０のＣＰＵ４１は、ブルートゥースモジュール４８に電話着信データが受信されると、この電話着信データに基づき振動モータ５０、発光ダイオード５２およびピエゾ素子５４を駆動して、当該腕時計４０を装着しているユーザに着信報知の動作を行う。
【００２６】
一方、本発明の実施形態において携帯電話１０が着信出力モードに設定されている場合には、携帯電話１０に通話着信又はメール着信があっても、上記のような腕時計４０による着信報知の動作が行われないようになっている。すなわち、着信出力モードでは、通話着信又はメール着信により携帯電話１０において着信メロディの音声出力が行われる一方、着信出力モードの設定に基づいて携帯電話１０は腕時計４０への電話着信データの送信を実行せず、それにより、腕時計４０側での着信報知の動作はなされない。
【００２７】
このような腕時計４０側での着信報知の動作／非動作の切り換えは、携帯電話１０の待受けモードの設定に基づいて、携帯電話１０と腕時計４０との間のブルートゥース通信のリンク状態を切り換えることで実現している。例えば、携帯電話１０の待受けモードが、操作部１４の操作或いは腕時計４０側からのコマンド送信によってマナーモードに切り換えられた場合には、携帯電話１０と腕時計４０の通信リンクを確立する一方、待受けモードが着信出力モードに切り換えられた場合には、携帯電話１０と腕時計４０の通信リンクを解除する。そして、携帯電話１０に着信があった場合には、ＣＰＵ１１が腕時計４０との通信リンクの状態を確認し、通信リンクが確立されていれば電話着信データを腕時計４０に送信する一方、通信リンクが解除されていれば電話着信データの送信を実行しない。
【００２８】
図４には、携帯電話のＣＰＵによりマナーモードをオン操作したときに実行される制御処理のフローチャートを、図５には、携帯電話のＣＰＵによりマナーモードをオフ操作したときに実行される制御処理のフローチャートを、図６には、携帯電話のＣＰＵにより実行される電話着信処理のフローチャートを示す。
【００２９】
また、図７には、腕時計のＣＰＵによりマナーモードをオン操作したときに実行される制御処理のフローチャートを、図８には、腕時計のＣＰＵによりマナーモードをオフ操作したときに実行される制御処理のフローチャートを、図９には、腕時計のＣＰＵにより実行される腕時計受信処理のフローチャートを示す。
【００３０】
詳細には、次のごとくである。すなわち、携帯電話１０で待受けモードの切換え操作がなされてマナーモードがオンにされたら、携帯電話１０のＣＰＵ１１により図４の処理が開始され、該ＣＰＵ１１がブルートゥースモジュール２２に腕時計４０との通信接続要求を発行する。それにより、携帯電話１０のブルートゥースモジュール２２から探索パケットが送信され、この探索パケットが腕時計４０のブルートゥースモジュール４８に受信されて認証処理が開始されて、両者の通信リンクが確立する（ステップＳ１）。
【００３１】
一方、携帯電話１０で待受けモードの切換え操作がなされてマナーモードがオフされたら、携帯電話１０のＣＰＵ１１により図５の処理が開始される。そして、ＣＰＵ１１がブルートゥースモジュール２２に腕時計４０との通信切断要求を発行し、それにより携帯電話１０のブルートゥースモジュール２２と腕時計４０のブルートゥースモジュール４８の通信リンクが解除される（ステップＳ２）。
【００３２】
他方、腕時計４０側の操作によって腕時計４０から携帯電話１０にブルートゥース通信によりモード切換要求が送信されて、携帯電話１０のマナーモードがオンにされた場合には、腕時計４０のＣＰＵ４１により図７の処理が開始される。それにより、腕時計４０のＣＰＵ４１がブルートゥースモジュール４８に通信接続要求を発行し、腕時計４０のブルートゥースモジュール４８から探索パケットが送信され、この探索パケットが携帯電話１０のブルートゥースモジュール２２に受信されて認証処理が開始されて、両者の通信リンクが確立する（ステップＳ１１）。
【００３３】
一方、腕時計４０側の操作によって腕時計４０から携帯電話１０にブルートゥース通信によりモード切換要求が送信されて、携帯電話１０のマナーモードがオフにされた場合には、腕時計４０のＣＰＵ４１により図８の処理が開始される。そして、腕時計４０のＣＰＵ４１がブルートゥースモジュール４８に通信切断要求を発行し、それにより両者の通信リンクが解除される（ステップＳ１２）。
【００３４】
なお、腕時計４０側の操作によって携帯電話１０の待受けモードを切り換える場合には、ブルートゥース通信で腕時計４０から携帯電話１０へモード切り換えのコマンドコードを伝送する必要があるが、予め両者の通信リンクが確立されている状態であれば、この通信リンクを利用してコマンドコードを伝送する一方、両者の通信リンクが解除されている場合には、一旦、通信リンクを確立してからコマンドコードを伝送し、再び、通信リンクを解除して元のリンク状態を回復するように構成する。このような構成により、携帯電話１０のマナーモードのオン・オフにより切り換えられる通信リンクの状態を、他の通信を行った場合でも、その直後に回復させて保持することができる。
【００３５】
そして、携帯電話１０で着信があった場合には、携帯電話１０のＣＰＵ１１により図６の処理が開始されて、先ず、電話着信の確認を行い（ステップＳ３）、携帯電話１０と腕時計４０とのブルートゥース通信のリンク状態を判別し（ステップＳ４）、電話着信の確認と通信リンクの確立が確認されたら電話着信データの送信を行う（ステップＳ５）。一方、何れかが確認できなければ電話着信データの送信を行わずに、そのまま、この電話着信処理を終了する。
【００３６】
腕時計４０では、そのＣＰＵ４１により短い時間間隔ごとに図９の受信処理が繰り返し実行されており、この受信処理が開始されたら、先ず、電話着信データの受信があるか確認し（ステップＳ１３）、あれば振動モータ５０、発光ダイオード５２およびピエゾ素子５４を駆動して報知動作を行う（ステップＳ１４）が、なければそのままこの受信処理を終了する。
【００３７】
このような制御処理により、携帯電話１０の待受けモードがマナーモードに設定されている場合には、着信時に腕時計４０の着信報知の動作が実行される一方、マナーモードに設定されていない場合には、着信時に腕時計４０の着信報知の動作が実行されないようになっている。
【００３８】
以上のように、この実施の形態の携帯電話システム１によれば、携帯電話１０の待受けモードをマナーモードから着信出力モードに切り換えることで、自動的に腕時計４０の電話着信報知の機能が無効とされ、逆にマナーモードに切り換えることで、自動的に腕時計４０の電話着信報知の機能が有効とされるので、ユーザは腕時計４０の切換え操作に煩わされることなく、必要なときだけ電話着報知の機能を有効とすることが出来る。
【００３９】
また、電話着信報知の機能の有効と無効の切り換えは、携帯電話１０と腕時計４０のブルートゥース通信の通信リンクを確立するか解除するかにより実現されるので、電話着信報知機能が無効のときには両者の通信リンクが解除された状態となって、不要な消費電力を削減できるという効果も得られる。
【００４０】
［第２実施形態］
本発明の第２実施形態の携帯電話システム１は、腕時計４０の電話着信報知機能を有効と無効とに切り換える方式を第１実施形態と異ならせたもので、他の構成は第１実施形態と同様である。なので、異なる点のみ説明する。
【００４１】
この実施形態では、携帯電話１０のＲＡＭ１３に腕時計着信報知フラグを設定している。そして、携帯電話１０の待受けモードの設定状態をこの腕時計着信報知フラグに反映させ、この腕時計着信報知フラグの値に応じて電話着信データを送信したり送信禁止としたりする。このような方式の適用によって、この実施形態においては、携帯電話１０と腕時計４０とのブルートゥース通信の通信リンクを常に確立した状態とし、両者間を即時のデータ通信が可能な状態にしておくことが出来る。
【００４２】
図１０には、本発明の第２実施形態における携帯電話のマナーモードオン操作処理のフローチャートを、図１１には、第２実施形態における携帯電話のマナーモードオフ操作処理のフローチャートを、図１２には、第２実施形態における携帯電話の電話着信処理のフローチャートをそれぞれ示す。
【００４３】
この実施の形態では、例えば、携帯電話１０の操作部１４の操作、或いは腕時計４０からのコマンド送信により、携帯電話１０の待受けモードがマナーモードに切り換えられた場合に、携帯電話１０のＣＰＵ１１が図１０の処理を開始する。そして、ＲＡＭ１３の腕時計着信報知フラグを有効を示す値に書き換える（ステップＳ２１）。また、逆に、携帯電話１０の待受けモードがマナーモードから着信出力モードに切り換えられた場合には、ＣＰＵ１１は図１１の処理を開始して、ＲＡＭ１３中の腕時計着信報知フラグを無効を示す値に書き換える（ステップＳ２２）。
【００４４】
そして、携帯電話１０に着信があった場合には、ＣＰＵ１１は図１２の処理を開始して、先ず、電話着信を確認し（ステップＳ２３）、次いで、ＲＡＭ１３中の腕時計着信報知フラグの値を確認する（ステップＳ２４）。そして、電話着信の確認と腕時計着信報知フラグが有効を示す値であることが確認されたら、電話着信データを腕時計４０に送信する一方（ステップＳ２５）、何れかが確認できなければ電話着信データを送信せずに、そのままこの電話着信処理を終了する。このような処理によって、携帯電話１０がマナーモードの際には腕時計４０の電話着信報知機能が自動的に有効となり、携帯電話１０が着信出力モードの際には腕時計４０の電話着信報知機能が自動的に無効とされる。
【００４５】
以上のように、この実施形態の携帯電話システム１によっても、ユーザは煩雑な操作を行うことなく、携帯電話１０のマナーモードのオン・オフの切り換えに連動させて、腕時計４０の電話着信報知機能を自動的に有効としたり無効としたりすることが出来る。
【００４６】
［第３実施形態］
本発明の第３実施形態の携帯電話システム１は、腕時計４０の電話着信報知機能を有効と無効とに切り換える方式を第１実施形態と異ならせたもので、その他の構成は第１実施形態と同様のものである。なので、異なる点のみ説明する。
【００４７】
この実施形態では、腕時計４０のＲＡＭ４３に着信報知フラグを設定している。そして、携帯電話１０の待受けモードの切換え状態をこの着信報知フラグに反映させ、この着信報知フラグの値に応じて、電話着信時の着信報知の処理を実行したり禁止したりするようにする。このような方式を適用することで、この実施形態では、携帯電話１０と腕時計４０とのブルートゥース通信の通信リンクを常に確立した状態にしておくことが出来る。
【００４８】
図１３には、本発明の第３実施形態における携帯電話のマナーモードオン操作処理のフローチャートを、図１４には、第３実施形態における携帯電話のマナーモードオフ操作処理のフローチャートを、図１５には、第３実施形態における携帯電話の電話着信処理のフローチャートをそれぞれ示す。
【００４９】
また、図１６には、本発明の第３実施形態における腕時計のマナーモードオン操作処理のフローチャートを、図１７には、第３実施形態における腕時計のマナーモードオフ操作処理のフローチャートを、図１８には、第３実施形態における腕時計の受信処理のフローチャートをそれぞれ示す。
【００５０】
この実施形態の携帯電話１０においては、携帯電話１０の操作によりマナーモードがオンされたりオフされた場合には、それぞれ携帯電話１０のＣＰＵ１１により図１３と図１４の処理が開始され、マナーモードの切換状態を携帯電話１０の着信報知フラグに反映させるために、マナーモード・オンデータまたはマナーモード・オフデータをそれぞれブルートゥース通信によって腕時計４０に送信する（ステップＳ３１，Ｓ３２）。
【００５１】
また、通話着信やメール着信があった場合には、携帯電話１０のＣＰＵ１１により図１５の処理が開始され、電話着信の有無を確認し（ステップＳ３３）、その後、電話着信が確認されればすぐにブルートゥース通信により腕時計４０へ電話着信データを送信する（ステップＳ３４）。
【００５２】
一方、腕時計４０の側で携帯電話１０のマナーモード設定が行われた場合や、マナーモード設定が解除された場合には、腕時計４０のＣＰＵ４１により図１６と図１７の処理がそれぞれ開始され、ＣＰＵ４１がＲＡＭ４３中の着信報知フラグの値を有効値または無効値にそれぞれ書き換える（ステップＳ４１，Ｓ４２）。
【００５３】
また、これらの処理と同時平行的に、腕時計４０のＣＰＵ４１は、図１８の受信処理を短い周期で繰り返し実行する。受信処理が開始されると、先ず、ＣＰＵ４１は携帯電話１０からマナーモード・オンデータを受信したか否か判別し（ステップＳ４３）、これを受信していればＲＡＭ４３中の着信報知フラグを有効値にして（ステップＳ４４）、次のステップに移行するが、受信していなければそのまま次のステップに移行する。
【００５４】
次いで、ＣＰＵ４１は携帯電話１０からマナーモード・オフデータを受信したか否か判別し（ステップＳ４５）、これを受信していればＲＡＭ４３中の着信報知フラグを無効値にして（ステップＳ４６）、次のステップに移行するが、受信していなければそのまま次のステップに移行する。
【００５５】
さらに、ＣＰＵ４１は携帯電話１０から電話着信データを受信したか否かを判別し（ステップＳ４７）、これを受信していれば、続いてＲＡＭ４３中の着信報知フラグの値を確認し（ステップＳ４８）、着信報知フラグが有効を示す値であれば、振動モータ５０、発光ダイオード５２およびピエゾ素子５４を駆動させて着信報知の動作を実行させる（ステップＳ４９）。一方、電話着信データの受信がなかったり、着信報知フラグが無効を示す値であれば、着信報知の動作を行わずにこの受信処理を終了する。
【００５６】
このような制御処理により、携帯電話１０の待受けモードがマナーモードにされれば、腕時計４０のＲＡＭ４３中の着信報知フラグが有効値とされて、携帯電話１０の着信時に腕時計４０で着信報知動作が実行される。一方、携帯電話１０の待受けモードが着信出力モードにされれば、腕時計４０のＲＡＭ４３中の着信報知フラグが無効値とされて、携帯電話１０の着信時に腕時計４０での着信報知動作が実行されないようになっている。
【００５７】
以上のように、この実施形態の携帯電話システム１によっても、ユーザは煩雑な操作を行うことなく、携帯電話１０のマナーモードのオン・オフの切り換えに連動させて、腕時計４０の電話着信報知機能を自動的に有効としたり無効としたりすることが出来る。
【００５８】
［第４実施形態］
本発明の第４実施形態の携帯電話システム１は、腕時計４０の着信報知機能を有効と無効に切り換える条件を第１実施形態と異ならせたもので、その他の構成は、第１実施形態とほぼ同様である。なので、異なる点のみ説明する。
【００５９】
この実施形態の携帯電話システム１は、携帯電話１０のメインの液晶表示部１５や操作部１４の操作キーが外部に露出されるように携帯電話１０の本体を開いた場合に腕時計４０の着信報知機能を自動的に無効とし、メインの液晶表示部１５や操作部１４の操作キーが内側に閉じられるように携帯電話１０の本体が閉じられた場合に、腕時計４０の着信報知機能を自動的に有効とするようにしたものである。
【００６０】
図１９には、携帯電話の閉動作処理のフローチャートを、図２０には、携帯電話の開動作処理のフローチャートをそれぞれ示す。
【００６１】
この実施形態では、携帯電話１０の本体が閉じられて本体開閉センサ２６がその検出出力を行うと、携帯電話１０のＣＰＵ１１により図１９の処理が開始される。そして、携帯電話１０のＣＰＵ１１がブルートゥースモジュール２２に腕時計４０との通信接続要求を発行し、それにより携帯電話１０と腕時計４０との間でブルートゥース通信の通信リンクが確立される（ステップＳ５１）。
【００６２】
一方、携帯電話１０の本体が開かれて本体開閉センサ２６がその検出出力を行うと、携帯電話１０のＣＰＵ１１により図２０の処理が開始される。そして、携帯電話１０のＣＰＵ１１がブルートゥースモジュール２２に腕時計４０との通信切断要求を発行し、それにより携帯電話１０と腕時計４０との間のブルートゥース通信の通信リンクが解除される（ステップＳ５２）。
【００６３】
また、携帯電話１０に着信があったときに携帯電話１０のＣＰＵ１１により実行される電話着信処理、並びに、腕時計４０のＣＰＵ４１により短い周期で繰り返し実行される受信処理については、図６と図９に示した第１実施形態のものとそれぞれ同様である。
【００６４】
上記のような制御処理により、携帯電話１０の本体が閉じられているときには携帯電話１０と腕時計４０の通信リンクが確立した状態にされ、それにより、携帯電話１０に着信があったときに電話着信データが腕時計４０に送信されて、腕時計４０で着信報知動作が実行されるようになっている。また、携帯電話１０の本体が開かれたときには携帯電話１０と腕時計４０の通信リンクが解除され、それにより、携帯電話１０に着信があったときでも電話着信データが腕時計４０に送信されず、腕時計４０で着信報知動作が実行されないようになっている。
【００６５】
以上のように、この実施形態の携帯電話システム１によれば、ユーザは煩雑な操作を行うことなく、携帯電話１０の本体の開閉に連動させて、腕時計４０の電話着信報知機能を自動的に有効としたり、携帯電話１０を使用している際など不要なときには自動的に無効とすることが出来る。
【００６６】
［第５実施形態］
本発明の第５実施形態の携帯電話システム１は、腕時計４０の着信報知機能を自動的に有効と無効に切り換える条件を第１実施形態と異ならせたもので、その他の構成は、第１実施形態とほぼ同様である。なので、異なる点のみ説明する。
【００６７】
この実施形態の携帯電話システム１は、携帯電話１０の操作部１４の操作が行われた場合に、腕時計４０の着信報知機能は不要であると想定してこの機能を自動的に無効とし、携帯電話１０の操作部１４の最後の操作から一定時間（例えば１分〜５分など）が経過した場合に、ユーザによる携帯電話１０の使用が終了されたものと想定して、腕時計４０の着信報知機能を自動的に有効とするものである。
【００６８】
この実施形態の携帯電話１０は、例えば、タイマー２７により常に一定時間の計時を行わせるとともに、操作部１４の操作があるたびにこのタイマー２７をリセットするように構成する。そして、タイマー２７の値が設定時間（例えば１分〜５分など）に達したら、そのことがＣＰＵ１１に通知されるようになっている。
【００６９】
図２１には、携帯電話の操作後一定時間経過処理のフローチャートを、図２２には、携帯電話の操作受付処理のフローチャートをそれぞれ示す。
【００７０】
この実施形態においては、携帯電話１０の最後の操作から一定時間が経過してタイマー２７からＣＰＵ１１に通知が行われると、図２１の処理が開始され、ＣＰＵ１１がブルートゥースモジュール２２に腕時計４０との通信接続要求を発行し、それにより携帯電話１０と腕時計４０との間でブルートゥース通信の通信リンクが確立する（ステップＳ６１）。
【００７１】
一方、一定時間が経過した状態から携帯電話１０の操作部１４に操作入力があると、ＣＰＵ１１により図２２の処理が開始されて、ＣＰＵ１１がブルートゥースモジュール２２に腕時計４０との通信切断要求を発行し、それにより携帯電話１０と腕時計４０との間のブルートゥース通信の通信リンクが解除される（ステップＳ６２）。
【００７２】
また、携帯電話１０に着信があったときに携帯電話１０のＣＰＵ１１により実行される電話着信処理、並びに、腕時計４０のＣＰＵ４１により短い周期で繰り返し実行される受信処理については、図６と図９に示した第１実施形態のものとそれぞれ同様である。
【００７３】
上記のような制御処理により、携帯電話１０で一定時間以上なんら操作がないと携帯電話１０と腕時計４０の通信リンクが確立した状態にされて、携帯電話１０に着信があったときに電話着信データが腕時計４０に送信される。そして、それにより、腕時計４０で着信報知動作が実行されるようになっている。また、携帯電話１０で何らかの操作がなされると携帯電話１０と腕時計４０の通信リンクが解除され、携帯電話１０に着信があったときに電話着信データが腕時計４０に送信されず、それゆえ、腕時計４０で着信報知動作が実行されないようになっている。
【００７４】
以上のように、この実施形態の携帯電話システム１によれば、ユーザは腕時計４０の設定を切り換えるために煩雑な操作を行う必要なく、携帯電話１０の操作の有無や最後の操作からの経過時間に関連させて、腕時計４０の電話着信報知機能を自動的に有効としたり無効とすることが出来る。
【００７５】
なお、本発明は、上記実施の形態に限られるものではなく、様々な変更が可能である。例えば、上記実施の形態では、短距離無線通信としてブルートゥース通信を例示したが、例えばWibreeやZigBeeなどの各種の省電力短距離無線通信を適用することもできるし、また、独自規格の短距離無線通信や、短距離無線通信以外の他の無線通信を適用することも出来る。
【００７６】
また、腕装着型端末として電子腕時計を例示したが、時計機能を備えていないものとしても良い。また、第１，第４，第５実施形態において腕時計４０の着信報知動作の有効無効を切り換える条件を３種類示したが、これらの条件を個別に適用するのでなく、これらのうち２種類の条件や３種類の条件を複合的に適用するようにしても良い。
【００７７】
その他、上記の実施形態で示した細部等は発明の趣旨を逸脱しない範囲で適宜変更可能である。
【図面の簡単な説明】
【００７８】
【図１】本発明の実施の形態の携帯電話システムの構成を示す図である。
【図２】本発明の実施の形態の腕装着型端末としての電子腕時計の内部構成を示すブロック図である。
【図３】本発明の実施の形態の携帯電話の内部構成を示すブロック図である。
【図４】携帯電話のＣＰＵによりマナーモードをオン操作したときに実行される制御処理のフローチャートである。
【図５】携帯電話のＣＰＵによりマナーモードをオフ操作したときに実行される制御処理のフローチャートである。
【図６】携帯電話のＣＰＵにより実行される電話着信処理のフローチャートである。
【図７】腕時計のＣＰＵによりマナーモードをオン操作したときに実行される制御処理のフローチャートである。
【図８】腕時計のＣＰＵによりマナーモードをオフ操作したときに実行される制御処理のフローチャートである。
【図９】腕時計のＣＰＵにより実行される腕時計受信処理のフローチャートである。
【図１０】本発明の第２実施形態における携帯電話のマナーモードオン操作処理のフローチャートである。
【図１１】本発明の第２実施形態における携帯電話のマナーモードオフ操作処理のフローチャートである。
【図１２】本発明の第２実施形態における携帯電話の電話着信処理のフローチャートである。
【図１３】本発明の第３実施形態における携帯電話のマナーモードオン操作処理のフローチャートである。
【図１４】本発明の第３実施形態における携帯電話のマナーモードオフ操作処理のフローチャートである。
【図１５】本発明の第３実施形態における携帯電話の電話着信処理のフローチャートである。
【図１６】本発明の第３実施形態における腕時計のマナーモードオン操作処理のフローチャートである。
【図１７】本発明の第３実施形態における腕時計のマナーモードオフ操作処理のフローチャートである。
【図１８】本発明の第３実施形態における腕時計の受信処理のフローチャートである。
【図１９】本発明の第４実施形態における携帯電話の閉動作処理のフローチャートである。
【図２０】本発明の第４実施形態における携帯電話の開動作処理のフローチャートである。
【図２１】本発明の第５実施形態における携帯電話の操作後一定時間経過処理のフローチャートである。
【図２２】本発明の第５実施形態における携帯電話の操作受付処理のフローチャートである。
【符号の説明】
【００７９】
１      携帯電話システム
１０    携帯電話
１１    ＣＰＵ
１４    操作部
１５    液晶表示部
１７    スピーカ
１８    マイク
２０    ＲＦ送受信回路
２２    ブルートゥースモジュール
２４    振動モータ
２６    本体開閉センサ
２７    タイマー
４０    腕時計
４１    ＣＰＵ
４４    スイッチ
４５    計時回路
４６    液晶表示部
４８    ブルートゥースモジュール
５０    振動モータ
５２    発光ダイオード
５４    ピエゾ素子
【図１】
0005109655.tif 000002
【図２】
0005109655.tif 000003
【図３】
0005109655.tif 000004
【図４】
0005109655.tif 000005
【図５】
0005109655.tif 000006
【図６】
0005109655.tif 000007
【図７】
0005109655.tif 000008
【図８】
0005109655.tif 000009
【図９】
0005109655.tif 000010
【図１０】
0005109655.tif 000011
【図１１】
0005109655.tif 000012
【図１２】
0005109655.tif 000013
【図１３】
0005109655.tif 000014
【図１４】
0005109655.tif 000015
【図１５】
0005109655.tif 000016
【図１６】
0005109655.tif 000017
【図１７】
0005109655.tif 000018
【図１８】
0005109655.tif 000019
【図１９】
0005109655.tif 000020
【図２０】
0005109655.tif 000021
【図２１】
0005109655.tif 000022
【図２２】
0005109655.tif 000023